(57)【要約】【課題】机、キャビネットの引出しや開閉扉に設け、施錠機構部に連係する外筒に対して鍵穴を有する内筒が挿脱可能な内筒交換型シリンダー錠において、外筒のみを引出しや開閉扉に設けて搬送する際に、施錠機構部が振動でずれることがなく、また搬送後の内筒の装着を容易に行うことが可能な内筒交換型シリンダー錠の保護装置を提供する。【解決手段】外筒３は内筒５を受け入れる円筒部７を有し、円筒部の内壁面には軸方向に延びる係合溝８を形成し、円筒部の内奥端には鍵本体４の駆動部９が臨み、駆動部に内筒の後端面に突設した突起を係合して連動する係合部１０を設け、外筒の円筒部に内筒の代わりに装着する合成樹脂製の保護具６を備え、保護具は、係合溝に弾性的に係合して当該保護具の回転を制限する弾性片２２を形成するとともに、係合部に係合する突出部２３を後端部に突設した。【選択図】        図８
2007154522.tif 000002
【特許請求の範囲】
【請求項１】
机、キャビネット等の引出しや開閉扉に設け、施錠機構部に連係する外筒に対して鍵穴を有する内筒が挿脱可能であり、前記外筒には施錠機構部に連係させる鍵本体が設けられた内筒交換型シリンダー錠において、前記外筒は前記内筒を受け入れる円筒部を有し、該円筒部の内壁面には軸方向に延びる係合溝を形成するとともに、前記円筒部の内奥端には前記鍵本体の駆動部が臨み、該駆動部に前記内筒の後端面に突設した突起を係合して連動する係合部を設け、前記外筒の円筒部に内筒の代わりに装着する合成樹脂製の保護具を備え、該保護具は、前記係合溝に弾性的に係合して当該保護具の回転を制限する弾性片を形成するとともに、前記係合部に係合する突出部を後端部に突設してなることを特徴とする内筒交換型シリンダー錠の保護装置。
【請求項２】
前記外筒の円筒部の内壁面には軸方向に延びる２条の係合溝を互に１８０度離れて対向する位置に形成するとともに、前記保護具には互に９０度離れた位置に二つの前記弾性片を設け、前記外筒に設けた鍵本体の駆動部が開錠状態又は施錠状態において該駆動部の係合部に前記保護具の突出部が係合した際に何れか一方の弾性片が何れか一方の係合溝に係合してなる請求項１記載の内筒交換型シリンダー錠の保護装置。
【請求項３】
前記保護具には、前記外筒の円筒部に装着した状態で、該円筒部の開口部を塞ぐ閉塞部を有するとともに、該閉塞部の外側中央部に凹所を形成し、該凹所に係合するキャップを一体成形してなる請求項１又は２記載の内筒交換型シリンダー錠の保護装置。
【請求項４】
前記保護具の凹所の底面に、非円形の係合孔を形成し、該係合孔に回転工具等を係合させて保護具を強制回転可能としてなる請求項１〜３何れかに記載の内筒交換型シリンダー錠の保護装置。
【発明の詳細な説明】
【技術分野】
【０００１】
本発明は、内筒交換型シリンダー錠の保護装置に係わり、更に詳しくは机、キャビネットの引出しや開閉扉に設ける内筒交換型シリンダー錠の保護装置に関するものである。
【背景技術】
【０００２】
従来から、外筒と内筒とからなる内筒交換型シリンダー錠は公知である。そして、内筒交換型シリンダー錠の外筒と内筒を分離して管理し、外筒のみを机、キャビネットの引出しや開閉扉に取付けておき、該外筒に施錠杆や施錠ピンを連結し、引出しや開閉扉の施錠機構部にセットした状態で製造し、商品を搬送後にユーザーの使用形態に合わせて所望の鍵穴を有する内筒を外筒に装着するようにした点も公知である。
【０００３】
例えば、特許文献１には、円筒状の穴の内壁面に円筒の軸方向に延びる係合凹部が設けられ、穴の奥部に円筒の軸周り方向に回動可能な鍵本体が配設されている外筒と、前記穴に保持される相似形の円筒状周面を有し、一方の端面に軸方向に延びる鍵穴が設けられ、他方の端面に前記鍵本体と嵌合する嵌合突起を形成し、前記円筒状周面に所定形状の鍵と係合したときに円筒状周面と略同じ高さに変位するように前記係合凹部内に突出する複数個の係止片が設けられた内筒とを備え、前記円筒状周面の前記嵌合突起側の部位に、前記係止片を操作するユーザーキーより長いマスターキーによって前記円筒状周面から出入するように操作される内筒の着脱用係止片を設け、前記外筒の穴の奥部に前記着脱用係止片に当接して内筒の脱落を防止する壁面を設けた施錠装置であって、前記着脱用係止片よりも嵌合突起側に位置する前記円筒状周面の部位に、リング状溝部を介在させてリング状のフランジ部を形成し、このフランジ部に切欠き部を設け、前記外筒の穴の奥部に、前記内筒のリング状溝部側に突出して前記内筒が所定角度回動したときに前記フランジ部の切欠き部を通過可能なストッパーピンを突設したことを特徴とする施錠装置が開示されている。
【０００４】
通常、前記内筒を外した状態で机やキャビネットを搬送する際に、施錠機構部を搬送後の内筒を装着する状態である開錠状態にし、引出しや開閉扉は別途飛び出したり、開いたりしないようにゴムバンド等の手段で緊迫している。しかし、搬送中に振動によって施錠機構部がずれてしまい、搬送後に内筒を装着する際に、そのままでは装着できないので、施錠機構部を開錠状態になるように微調節する必要が生じるので、作業性に手間がかかるのである。一方、搬送中に引出しや開閉扉が不意に飛び出したり、開いたりしないように、施錠機構部を施錠状態にすることも考慮されるが、施錠機構部は内筒によって回転規制されてない状態であるので、搬送中の振動によって正規の位置からずれ、極端な場合には開錠状態となって引出しや開閉扉が飛び出したり、開いたりすることが予想されるとともに、この場合も前記同様に搬送後に内筒を装着する際には微調節は避けられないのである。
【特許文献１】特許第２５４２１６０号公報
【発明の開示】
【発明が解決しようとする課題】
【０００５】
そこで、本発明が前述の状況に鑑み、解決しようとするところは、机、キャビネットの引出しや開閉扉に設け、施錠機構部に連係する外筒に対して鍵穴を有する内筒が挿脱可能な内筒交換型シリンダー錠において、外筒のみを引出しや開閉扉に設けて搬送する際に、施錠機構部が振動でずれることがなく、また搬送後の内筒の装着を容易に行うことが可能な内筒交換型シリンダー錠の保護装置を提供する点にある。
【課題を解決するための手段】
【０００６】
本発明は、前述の課題解決のために、机、キャビネット等の引出しや開閉扉に設け、施錠機構部に連係する外筒に対して鍵穴を有する内筒が挿脱可能であり、前記外筒には施錠機構部に連係させる鍵本体が設けられた内筒交換型シリンダー錠において、前記外筒は前記内筒を受け入れる円筒部を有し、該円筒部の内壁面には軸方向に延びる係合溝を形成するとともに、前記円筒部の内奥端には前記鍵本体の駆動部が臨み、該駆動部に前記内筒の後端面に突設した突起を係合して連動する係合部を設け、前記外筒の円筒部に内筒の代わりに装着する合成樹脂製の保護具を備え、該保護具は、前記係合溝に弾性的に係合して当該保護具の回転を制限する弾性片を形成するとともに、前記係合部に係合する突出部を後端部に突設してなる内筒交換型シリンダー錠の保護装置を構成した（請求項１）。
【０００７】
ここで、前記外筒の円筒部の内壁面には軸方向に延びる２条の係合溝を互に１８０度離れて対向する位置に形成するとともに、前記保護具には互に９０度離れた位置に二つの前記弾性片を設け、前記外筒に設けた鍵本体の駆動部が開錠状態又は施錠状態において該駆動部の係合部に前記保護具の突出部が係合した際に何れか一方の弾性片が何れか一方の係合溝に係合してなることが好ましい（請求項２）。
【０００８】
また、前記保護具には、前記外筒の円筒部に装着した状態で、該円筒部の開口部を塞ぐ閉塞部を有するとともに、該閉塞部の外側中央部に凹所を形成し、該凹所に係合するキャップを一体成形してなることも好ましい（請求項３）。
【０００９】
そして、前記保護具の凹所の底面に、非円形の係合孔を形成し、該係合孔に回転工具等を係合させて保護具を強制回転可能としてなることがより好ましい（請求項４）。
【発明の効果】
【００１０】
以上にしてなる請求項１に係る発明の内筒交換型シリンダー錠の保護装置は、机、キャビネット等の引出しや開閉扉に内筒交換型シリンダー錠の外筒のみを装着した状態で、該外筒に取付けた鍵本体を施錠機構部に連係させてセットした状態で、前記外筒の円筒部に保護具を挿入して、その後端面に突設した突出部を円筒部の内奥端に臨んだ鍵本体の駆動部に形成した係合部に係合するとともに、弾性片が内筒部の内壁面の軸方向に形成した係合溝に弾性的に係合して、前記鍵本体の駆動部の変位を規制することができるのである。従って、机、キャビネット等を搬送中に振動が加わっても、前記鍵本体の駆動部が初期の設定位置からずれないので、前記保護具を外筒の円筒部から抜き去った後、内筒を前記係合溝に係合させながら円筒部に挿入すると、該内筒の後端面に突設した突起が前記鍵本体の駆動部の係合部に正確に係合するのである。
【００１１】
請求項２によれば、机やキャビネット等の引出しと、キャビネット等の開閉扉とでは、それらに設けるシリンダー錠の鍵穴、つまり前記鍵本体の駆動部の係合部の位置が９０度だけずれるのが一般的であるが、前記外筒の円筒部に軸方向に延びる２条の係合溝を互に１８０度離れて対向する位置に形成するとともに、保護具には互に９０度離れた位置に二つの弾性片を設けたので、外筒に設けた鍵本体の駆動部が開錠状態又は施錠状態となっている状態において、鍵本体の駆動部の係合部に保護具の突出部が係合した際に、何れか一方の弾性片が何れか一方の係合溝に係合させることができ、引出しと開閉扉のどちらにも適用するとこができるのである。
【００１２】
請求項３によれば、保護具を外筒の円筒部に装着すると、閉塞部で外筒の円筒部の開口部を塞ぐことができ、搬送中に円筒部に異物の進入を防止でき、また閉塞部の外側中央部に形成した凹所に係合させたキャップを、搬送後にキャップを凹所から外して該キャップを持って引っ張ることにより、当該保護具を外筒の円筒部から容易に抜き去ることができるのである。
【００１３】
請求項４によれば、保護具を外筒の円筒部に装着した状態で、凹所の底面に形成した非円形の係合孔に回転工具等を係合させて、保護具を強制回転させて鍵本体の駆動部を開錠状態から施錠状態へ、また施錠状態から開錠状態へ変位させることができ、搬送中に施錠機構部を施錠状態にして不意に引出しが飛び出したり、開閉扉が開いたりすることを防止することができ、また搬送後に内筒を装着する場合に必要な開錠状態に簡単に戻すことができるのである。
【発明を実施するための最良の形態】
【００１４】
次に、添付図面に示した実施形態に基づき、本発明を更に詳細に説明する。図１及び図２は本発明の内筒交換型シリンダー錠の保護装置を適用したキャビネットＡ，Ｂを示し、図１のキャビネットＡに設けた開閉扉１と、図２のキャビネットＢに設けた引出し２にそれぞれ内筒交換型シリンダー錠Ｃ１，Ｃ２が設けられている。通常、前記開閉扉１に設けるシリンダー錠Ｃ１の鍵穴Ｄは、開錠状態及び施錠状態において垂直方向を向き、一方、前記引出し２に設けるシリンダー錠Ｃ２の鍵穴Ｄは、開錠状態及び施錠状態において水平方向を向いている。
【００１５】
そして、図３〜図１３は、本発明に係る内筒交換型シリンダー錠の保護装置を示し、図中符号３は外筒、４は鍵本体、５は内筒、６は保護具をそれぞれ示している。
【００１６】
前記外筒３は、図３及び図８に示すように、前記内筒５を受け入れる円筒部７を有し、該円筒部７の内壁面には軸方向に延びる２条の係合溝８，８を互に１８０度離れて対向する位置に形成するとともに、前記円筒部７の内奥端には前記鍵本体４の駆動部９が臨み、該駆動部９に係合部１０を設けている。本実施形態では、前記外筒３の円筒部７の内奥部には拡径した係合空間１１を形成するとともに、該係合空間１１へ向けて一方の係合溝８に軸線上に抜止めピン１２を突設している。
【００１７】
また、前記鍵本体４は、本実施形態では、前記外筒３の後端に連結した円筒状の保持部材１３の内部に前記駆動部９が軸周りに回転可能に保持され、該駆動部９には前記係合部１０の背後位置に作動ピン１４を後方へ向けて延設し、前記開閉扉１や引出し２に組み込んだ施錠機構部（図示せず）に前記作動ピン１４を連係させるのである。本実施形態では、前記駆動部９は、外筒３の円筒部７の回転軸に対して直交面を有し、該直交面に前記回転軸から偏心した位置に前記係合部１０として円形凹部を形成している。
【００１８】
そして、前記内筒５は、図４〜図６に示すように、前記外筒３の円筒部７に回転可能に嵌合する略円柱状であり、外周面の直径位置に前記外筒３の両係合溝８，８に軸方向から係合する複数のタンブラー（図示せず）が出没する嵌合部１５，１５を形成し、前端部のフランジ部１６には鍵穴１７を形成し、また後端面には前記鍵本体４の駆動部９に形成した係合部１０に係合する円柱状の突起１８を突設している。更に、前記内筒５の後端部には、前記抜止めピン１２を受け入れて抜止めするための環状溝１９を形成し、一方の前記嵌合部１５の後方位置であって、前記環状溝１９を形成する後端の環状突縁２０の一部に前記抜止めピン１２が通過可能な切欠２１を形成している。
【００１９】
ここで、図４に示した内筒５は、前記開閉扉１に装着するものであり、前記鍵穴１７の向きと前記突起１８の偏心方向が一致し、また図５に示した内筒５Ａは、前記引出し２に装着するものであり、前記鍵穴１７の向きに対して前記突起１８の偏心方向が９０度だけ回転した位置に設定されている。その他の構成は、両者とも同一である。この場合、前記鍵本体４の駆動部９に形成した係合部１０の初期設定位置も前記内筒５，５Ａの突起１８の位置に対応させて設定されている。
【００２０】
そして、前記保護具６は、図７〜図１３に示すように、前記外筒３の円筒部７に内筒５の代わりに装着する合成樹脂製の部材である。前記保護具６は、前記外筒３の係合溝８，８に弾性的に係合して当該保護具６の回転を制限する弾性片２２を形成するとともに、前記鍵本体４の駆動部９に形成した前記係合部１０に係合する突出部２３を後端部に突設している。更に詳しくは、前記保護具６には、互に９０度離れた位置に二つの前記弾性片２２，２２を設け、前記外筒３に設けた鍵本体４の駆動部９が開錠状態又は施錠状態において該駆動部９の係合部１０に当該保護具６の突出部２３が係合した際に何れか一方の弾性片２２が何れか一方の係合溝８に係合するようにしている。
【００２１】
つまり、前記保護具６に、二つの前記弾性片２２，２２を設けていることにより、前記開閉扉１に用いる図４の内筒５の突起１８の位置に応じて設定された鍵本体４の駆動部９の係合部１０、あるいは前記引出し２に用いる図５の内筒５Ａの突起１８の位置に応じて設定された鍵本体４の駆動部９の係合部１０の何れに、前記保護具６の突出部２３を係合させても、該保護具６の何れかの弾性片２２が何れかの係合溝８に係合してその回転を規制するとともに、もう一つの弾性片２２は内筒部７の内壁面を弾性的に押圧してガタツキを防止するのである。
【００２２】
ここで、前記弾性片２２の先端には、前記係合溝８の終端で、前記係合空間１１の境に形成された段部２４に爪部２５を係止して、軸方向の抜止めをなしている。また、前記保護具６には、前記外筒３の円筒部７に装着した状態で、該円筒部７の開口部を塞ぐ円形の閉塞部２６を有するとともに、該閉塞部２６の外側中央部に凹所２７を形成し、該凹所２７に係合するキャップ２８を一体成形している。前記キャップ２８は、前記保護具６の閉塞部２６に可撓性の連結片２９で一体的に連結されており、該キャップ２８が前記閉塞部２６の凹所２７に嵌合した後、該キャップ２８を外すためにドライバー等の先端が細い工具を挿入してこじ開けるための切欠部３０を形成している。前記外筒３の円筒部７から前記保護具６を抜き去る場合に、凹所２７から外した前記キャップ２８を持って引っ張れば前記爪部２５が段部２４から外れるので容易である。
【００２３】
そして、図８、図１１及び図１２に示すように、前記保護具６の凹所２７の底面に、非円形の係合孔３１を形成し、該係合孔３１に回転工具等、例えばドライバーを係合させて当該保護具６を強制回転させることができるようにしている。この場合、前記保護具６を強制回転させると、前記弾性片２２は前記係合溝８から外れて内周壁を摺動し、９０度回転で他の弾性片２２が回転方向の前方に位置する他の係合溝８に係合し、更に１８０度まで回転させると元の弾性片２２が他の係合溝８に係合するのである。この１８０度回転させる動作は、開錠状態から施錠状態へ、また逆に施錠状態から開錠状態へ変化するのに対応する。
【００２４】
本発明に係る保護具６は、先ず開錠状態において前記駆動部９の係合部１０の位置を確認して、前記突出部２３の方向を大まかに定めると、一方の前記弾性片２２が何れか一方の係合溝８に係合して案内されるので、そのまま円筒部７の内奥まで挿入すると、前記突出部２３が係合部１０に係合すると同時に、前記弾性片２２の爪部２５が段部２４に係止して抜止め状態となるのである。それから、前記係合孔３１にドライバーの先端を差し込んで強制的に１８０度回転させて駆動部９を回転させ、それに連係している施錠機構部を施錠状態にし、前記キャップ２８を凹所２７に嵌着する。この状態で商品を搬送するのである。そして、ユーザーのところで、前記キャップ２８を外し、前記係合孔３１にドライバーの先端を差し込んで強制的に逆に１８０度回転させて駆動部９を回転させ、それに連係している施錠機構部を開錠状態にし、それからキャップ２８を持って外筒３の円筒部７から抜き去り、それに代えて所望の前記内筒５を装着する。それには、先ず、装着用のマスターキーを鍵穴１７に挿入した前記内筒５を、そのタンブラーが前記係合溝８，８に対応する状態で円筒部７に挿入するだけで良く、そのまま押し込むと前記切欠２１が前記抜止めピン１２を通過するとともに、前記突起１８が自動的に前記駆動部９の係合部１０に係合する。そして、前記マスターキーを抜き去れば装着は完了する。
【図面の簡単な説明】
【００２５】
【図１】本発明の内筒交換型シリンダー錠の保護装置をキャビネットの開閉扉に適用した実施例を示す簡略正面図である。
【図２】本発明の内筒交換型シリンダー錠の保護装置をキャビネットの引出しに適用した実施例を示す簡略正面図である。
【図３】本実施形態に使用する外筒と鍵本体を示し、（ａ）は正面図、（ｂ）は断面図である。
【図４】開閉扉用の内筒を示し、（ａ）は底面図、（ｂ）は側面図、（ｃ）は平面図を示している。
【図５】引出し用の内筒を示し、（ａ）は底面図、（ｂ）は側面図、（ｃ）は平面図を示している。
【図６】外筒に内筒を挿入する様子を示した側面図である。
【図７】外筒に保護具を挿入する様子を示した側面図である。
【図８】外筒、鍵本体及び保護具の関係を示す装着前の斜視図である。
【図９】同じく外筒、鍵本体及び保護具の関係を示す装着後の斜視図である
【図１０】同じく外筒に保護具を装着した状態の断面図である。
【図１１】保護具の平面図である。
【図１２】保護具を示し、（ａ）は正面図、（ｂ）は右側面図である。
【図１３】保護具の底面図である。
【符号の説明】
【００２６】
Ａ，Ｂ  キャビネット
Ｃ１，Ｃ２  内筒交換型シリンダー錠
Ｄ  鍵穴
１  開閉扉              ２  引出し
３  外筒                ４  鍵本体
５，５Ａ  内筒          ６  保護具
７  円筒部              ８  係合溝
９  駆動部              １０  係合部
１１  係合空間          １２  抜止めピン
１３  保持部材          １４  作動ピン
１５  嵌合部            １６  フランジ部
１７  鍵穴              １８  突起
１９  環状溝            ２０  環状突縁
２１  切欠              ２２  弾性片
２３  突出部            ２４  段部
２５  爪部              ２６  閉塞部
２７  凹所              ２８  キャップ
２９  連結片            ３０  切欠部
３１  係合孔
【図１】
2007154522.tif 000003
【図２】
2007154522.tif 000004
【図３】
2007154522.tif 000005
【図４】
2007154522.tif 000006
【図５】
2007154522.tif 000007
【図６】
2007154522.tif 000008
【図７】
2007154522.tif 000009
【図８】
2007154522.tif 000010
【図９】
2007154522.tif 000011
【図１０】
2007154522.tif 000012
【図１１】
2007154522.tif 000013
【図１２】
2007154522.tif 000014
【図１３】
2007154522.tif 000015